(57)【要約】【課題】組立作業性および解体作業性がよく、緩衝能力も優れた仕切部材を提供する。【解決手段】一対のシート２，３間に中しん４を配設した段ボール紙１からなる仕切部材２０であって、ブランクシートに、平行に延びる一対の壁区画用谷折線２４，２４と、壁区画用谷折線２４と直交するように延びる３以上の仕切用山折線２５と、仕切用山折線２５と平行に延びる仕切用谷折線２６と、谷折線２４，２６との交点から仕切用山折線２５に向けて外向きに延びる側部立上用山折線２７とを設け、これらにより組立状態で波状に折り曲げられる複数の底部２１と、底部２１の表面に重畳される複数の重畳部２２と、底部２１から上向きに立設される複数の側部２３とを設け、仕切用山折線２５を、側部２３側の一部を除き、山折状態で頂上に位置する段ボール紙１の第１シート２を切断し、反対側に位置する第２シート３を切断しないハーフカットライン２５ｂにより構成する。【選択図】図１
2010163201.tif 000002
【特許請求の範囲】
【請求項１】
一対のシート間に波状に連続する中しんを配設した段ボール紙からなり、平面視矩形状をなす外箱の内部を２以上に区画するための仕切部材であって、
略矩形状をなすブランクシートに、平行に延びる一対の壁区画用谷折線と、該壁区画用谷折線と直交するように平行に延びる３以上の仕切用山折線と、隣接する仕切用山折線の間に位置し該仕切用山折線と平行に延びる仕切用谷折線と、前記壁区画用谷折線と仕切用谷折線との交点から隣接する仕切用山折線に向けて外向きに延びる側部立上用山折線と、を設け、
前記壁区画用谷折線、仕切用山折線および仕切用谷折線で区画され、組立状態で波状をなすように折り曲げられる連続した複数の底部と、
前記壁区画用谷折線、仕切用山折線および側部立上用山折線で区画され、組立状態で前記底部の表面に重畳される複数の重畳部と、
前記仕切用山折線、仕切用谷折線および側部立上用山折線で区画され、組立状態で前記底部から上向きに立設される連続した複数の側部と、を設け、
前記仕切用山折線を、少なくとも前記側部に位置する一部を除き、山折状態で頂上に位置する段ボール紙の第１シートを切断し、反対側に位置する第２シートを切断しないハーフカットラインにより構成したことを特徴とする仕切部材。
【請求項２】
前記壁区画用谷折線、仕切用山折線、仕切用谷折線および側部立上用山折線の各交点に、段ボール紙を打ち抜いて形成する打抜部を設けたことを特徴とする請求項１に記載の仕切部材。
【発明の詳細な説明】
【技術分野】
【０００１】
本発明は、例えば流動食などの輸液を収容したパウチなどの袋体を収容する包装箱の仕切部材に関するものである。
【背景技術】
【０００２】
輸液を収容した袋体は、機器に接続するためのコネクタを備えた樹脂製のもので、上下に二つ折りした状態で外袋内に収容されている。そして、この輸液は、所定数を包装箱に収容した状態で、所定の病院等に輸送される。
【０００３】
この種の袋体を包装するための包装箱が特許文献１に記載されている。この特許文献１には、第１の包装箱として、断面矩形状をなす筒体からなる複数の仕切部材を設け、各仕切部材を外箱の長手方向に沿って並べて収容させることにより、外箱内を長手方向に仕切る構成としている。また、第２の包装箱として、外箱の長手方向に延びる中央仕切板と、外箱の長手方向に沿って所定間隔をもって配置する複数の横仕切板とからなり、各横仕切板を中央仕切板に噛み合わせて一体化する仕切部材を設け、該仕切部材を外箱に収容させることにより、外箱内を格子状に仕切る構成としている。さらに、第３の包装箱として、一対の側壁部と、これら側壁部間に所定間隔をもって並設した仕切板とからなる仕切部材を設け、該仕切部材を外箱に収容させることにより、外箱内を格子状に仕切る構成としている。
【０００４】
しかしながら、これらの仕切部材は、いずれも部品点数が多いため、組立作業性が悪いうえ、外箱への収容作業も非常に面倒である。また、これら仕切部材および外箱は段ボール紙により形成され、収容した輸液を使用すると、解体して回収または廃棄する必要があるが、その解体作業性も極めて悪いという問題がある。しかも、包装箱に収容して輸送する際には、垂直方向や水平方向の振動（負荷）が加わるが、この際の緩衝能力が乏しい。そのため、仕切部材に外袋が擦れ、外袋の角が破損することがある。
【０００５】
また、輸液の袋体を収容するものではないが、複数のディスク（記憶媒体）を収容するための収容ケースが特許文献２に記載されている。この収容ケースは、連続した一枚のブランクシートからなり、長手方向に延びる一対の壁区画用谷折線を設けることにより、中央に位置する底部と、両側に位置する側部とに区画している。また、このブランクシートには、短手方向に延びるように複数の仕切用山折線および仕切用谷折線が設けられている。さらに、ブランクシートには、壁区画用谷折線と仕切用谷折線の交点から、隣接する仕切用山折線に向けて内向き（底部側）に延びる重畳用山折線が設けられている。これにより、一枚のシートを蛇腹形状をなすように折曲可能とし、長手方向に複数の収容部を区画している。
【０００６】
しかしながら、この収容ケースは、軽量物を収容するものであるため、重量物（１個当たり約２ｋｇ）である輸液を収容するものとしては使用できない。仮にこの収容ケースを外箱の内部に収容する仕切部材として利用しようとしても、厚肉の段ボール紙で構成することは極めて困難である。しかも、この収容ケースは、輸液が並行状態で収容される長手方向（水平方向）に加わる負荷に対する緩衝能力は優れているが、輸送時に加わる可能性が高い振動による垂直方向の緩衝能力は乏しい。また、この収容ケースは、壁区画用谷折線と仕切用谷折線の頂上が設置面に設置されるものであるため、折曲誤差により安定性が悪くなるという問題がある。
【先行技術文献】
【特許文献】
【０００７】
【特許文献１】特開２００１−３４１７３０号公報
【特許文献２】実開平５−５４２３６号公報
【発明の概要】
【発明が解決しようとする課題】
【０００８】
本発明は、従来の問題に鑑みてなされたもので、組立作業性および解体作業性がよく、緩衝能力も優れた仕切部材を提供することを課題とするものである。
【課題を解決するための手段】
【０００９】
前記課題を解決するため、本発明の仕切部材は、一対のシート間に波状に連続する中しんを配設した段ボール紙からなり、平面視矩形状をなす外箱の内部を２以上に区画するための仕切部材であって、略矩形状をなすブランクシートに、平行に延びる一対の壁区画用谷折線と、該壁区画用谷折線と直交するように平行に延びる３以上の仕切用山折線と、隣接する仕切用山折線の間に位置し該仕切用山折線と平行に延びる仕切用谷折線と、前記壁区画用谷折線と仕切用谷折線との交点から隣接する仕切用山折線に向けて外向きに延びる側部立上用山折線と、を設け、前記壁区画用谷折線、仕切用山折線および仕切用谷折線で区画され、組立状態で波状をなすように折り曲げられる連続した複数の底部と、前記壁区画用谷折線、仕切用山折線および側部立上用山折線で区画され、組立状態で前記底部の表面に重畳される複数の重畳部と、前記仕切用山折線、仕切用谷折線および側部立上用山折線で区画され、組立状態で前記底部から上向きに立設される連続した複数の側部と、を設け、前記仕切用山折線を、少なくとも前記側部に位置する一部を除き、山折状態で頂上に位置する段ボール紙の第１シートを切断し、反対側に位置する第２シートを切断しないハーフカットラインにより構成している。
【００１０】
この仕切部材は１枚のブランクシートからなるため、部品点数を極めて少なくすることができる。そして、この仕切部材の組立作業は、所定位置を山折りおよび谷折りするだけであるため、組立作業性を向上できるうえ、解体作業性も向上できる。また、仕切部材を外箱に収容させる際には、波状に屈曲させた各底部および各側部を重畳させるように収縮させることにより、容易に行うことができる。
【００１１】
また、この仕切部材は、底部と側部との間に形成される重畳部を底部の表面に重畳させるため、外箱の底面と接する下端は、下向きに突出する底部の頂上により構成される。即ち、仕切部材は、外箱の底面に対して平行に位置する底部の頂上が線接触した状態で収容されるため、多少の折曲誤差が生じても安定した設置状態を得ることができる。しかも、輸送する際に垂直方向や水平方向の振動が加わった場合、波状をなす底部の伸縮により振動を吸収（緩衝）することができる。そのため、外袋が擦れることによる破損を防止できる。
【００１２】
この仕切部材では、前記壁区画用谷折線、仕切用山折線、仕切用谷折線および側部立上用山折線の各交点に、段ボール紙を打ち抜いて形成する打抜部を設けることが好ましい。このようにすれば、肉厚が厚い段ボール紙であっても確実に鋭角に屈曲させることができる。また、厚肉の段ボール紙で構成することが可能なため、重量物である輸液を収容するものとして好適に使用できる。
【発明の効果】
【００１３】
本発明の仕切部材は、１枚のブランクシートからなるため、部品点数を削減でき、製造コストを削減できるとともに、保管に関する占有スペースを削減できる。また、１枚のブランクシートの所定位置を山折りおよび谷折りするだけであるため、組立作業性および解体作業性を向上できる。さらに、組立状態の仕切部材は、その下端が平行に延びる底部頂上からなるため、収縮状態とすることにより外箱への収容作業を容易に行うことができる。しかも、設置状態の安定性を向上できるとともに、垂直方向および水平方向の振動が加わった場合でも、その振動を確実に緩和できる。
【図面の簡単な説明】
【００１４】
【図１】本発明に係る実施形態の仕切部材を示す斜視図である。
【図２】仕切部材の使用状態を示す斜視図である。
【図３】仕切部材の下側を示す斜視図である。
【図４】仕切部材の使用状態を示す断面図である。
【図５】仕切部材のブランクを示す平面図である。
【図６】（Ａ），（Ｂ），（Ｃ）はブランクの要部を示す拡大断面図、（Ｄ）は組立状態の要部を示す拡大断面図である。
【図７】本発明の仕切部材と類似する従来の収容ケースの下側を示す斜視図である。
【発明を実施するための形態】
【００１５】
以下、本発明の実施の形態を図面に従って説明する。
【００１６】
図１は、本発明に係る実施形態の仕切部材２０を示す。この仕切部材２０は、図２に示すように、外箱１０の内部に収容させて使用することにより、外箱１０内を一方向に沿って複数（本実施形態では５区画）の収容部に区画し、各収容部に輸液を収容した袋体などの商品５を個別に収容させるものである。
【００１７】
これら外箱１０および仕切部材２０は、段ボール紙１を周知の紙器打抜装置によって、一枚のブランクとして打ち抜いて形成される。段ボール紙１は、図６（Ａ）に示すように、一対のシートである表紙２および裏紙３の間に、波状に連続する中しん４を配設した周知のものである。
【００１８】
前記外箱１０は、図２および図４に示すように、各一対の端壁１１Ａ，１１Ｂおよび側壁１２Ａ，１２Ｂを備え、一端の側壁１２Ｂには、他端の端壁１１Ａに貼着するための糊代部１３が連設されている。また、端壁１１Ａ，１１Ｂには、上側縁に上蓋を構成する上側内フラップ１４Ａ，１４Ｂが連設されるとともに、下側縁に下蓋を構成する下側内フラップ１５Ａ，１５Ｂが連設されている。また、側壁１２Ａ，１２Ｂには、上側縁に上蓋を構成する上側外フラップ１６Ａ，１６Ｂが連設されるとともに、下側縁に下蓋を構成する下側外フラップ１７Ａ，１７Ｂが連設されている。そして、使用時には、端壁１１Ａ，１１Ｂおよび側壁１２Ａ，１２Ｂを平面視矩形状をなすように広げ、下側フラップ１５Ａ，１５Ｂ，１７Ａ，１７Ｂおよび上側フラップ１４Ａ，１４Ｂ，１６Ａ，１６Ｂにより、上側端および下側端を閉塞するように組み立てるものである。なお、この外箱１０は、実際の使用上に上下の制限はない。
【００１９】
前記仕切部材２０は、波状に連続する複数の底部２１と、各底部２１の表面（上面）に重畳される重畳部２２と、各底部２１から上向きに立設される側部２３とを備え、略矩形状をなすブランクシートを所定位置で折り曲げることにより形成されるものである。本実施形態では、仕切部材２０を構成する段ボール紙１において、第１シートである表紙２が内側、即ち、商品５に接触する収容側に位置し、第２シートである裏紙３が外側、即ち、外箱に当接する支持側に位置するように構成されている。また、段ボール紙１は、その中しん４が両側部２３，２３間にかけて延びるように打ち抜かれている。
【００２０】
具体的には、図５に示すように、仕切部材２０のブランクには、底部２１と、重畳部２２および側部２３とを区画するために、長手方向に沿って平行に延びる一対の壁区画用谷折線２４，２４が設けられている。これら壁区画用谷折線２４，２４は、組付状態で側壁１２Ａ，１２Ｂに沿って延びるもので、下側フラップ１５Ａ，１５Ｂ，１７Ａ，１７Ｂによって形成される下蓋の幅より僅かに小さい間隔で設けられている。この壁区画用谷折線２４は、図６（Ｂ）に示すように、表紙２の側から肉厚を圧縮するように罫を入れて形成した折曲線からなる。本実施形態では、壁区画用谷折線２４は、一般的な線幅（１ｍｍ）より線幅が太く（３ｍｍ）なるように形成されている。
【００２１】
また、仕切部材２０のブランクには、隣接する底部２１、重畳部２２および側部２３を区画するために、壁区画用谷折線２４と直交するように延びる複数の仕切用山折線２５が設けられている。これら仕切用山折線２５は、組立状態で隣接する収容部を区画する壁を形成するもので、本実施形態では、ブランクシートの両端縁間に６本等間隔で平行に延びるように設けることにより、５個の収容部に区画できるように構成している。この仕切用山折線２５は、図６（Ｃ）に示すように、側部２３の側に位置する一部である両側端を肉厚を圧縮した折曲線２５ａにより構成し、その折曲線２５ａ，２５ａ間をハーフカットライン（半切線）２５ｂにより構成している。ここで、折曲線２５ａは、一般的な線幅のものである。また、ハーフカットライン２５ｂは、図６（Ｄ）に示すように、山折状態で頂上に位置する段ボール紙１の表紙２を切断し、反対側に位置する裏紙３を切断しない構成としたものである。本実施形態では仕切用山折線２５を中しん４の延び方向に沿って設ける構成としている。そして、図示では、中しん４の谷に位置するように仕切用山折線２５が設けられている。そのため、中しん４は切断されていない。但し、仕切用山折線２５が中しん４の山に位置するように形成される場合には、表紙２と一緒に中しん４も切断されるが、裏紙３は切断されない。
【００２２】
さらに、仕切部材２０のブランクには、隣接する底部２１および側部２３を区画してＶ字状の収容部を形成するために、隣接する仕切用山折線２５，２５の中間に位置するように、仕切用山折線２５と平行に延びる仕切用谷折線２６が設けられている。この仕切用谷折線２６は、前記と同様に、表紙２の側から肉厚を圧縮するように罫を入れて形成した一般的な線幅の折曲線からなる。
【００２３】
さらにまた、仕切部材２０のブランクには、連続する重畳部２２と側部２３とを区画するために、壁区画用谷折線２４と仕切用谷折線２６との交点から隣接する仕切用山折線２５に向けて外向きに延びる側部立上用山折線２７が設けられている。この側部立上用山折線２７は、仕切用山折線２５と同様のハーフカットラインにより構成されている。本実施形態では、組立状態で側部２３が底部２１に対して９０度の屈曲角度で突出するように、この側部立上用山折線２７の傾斜角度を設定している。
【００２４】
そして、本実施形態のブランクシートには、壁区画用谷折線２４、仕切用山折線２５、仕切用谷折線２６および側部立上用山折線２７の各交点に、段ボール紙１を構成する表紙２から裏紙３にかけて打ち抜いた打抜部２８Ａ，２８Ｂが設けられている。打抜部２８Ａは、壁区画用谷折線２４と仕切用山折線２５との交点、および、壁区画用谷折線２４と仕切用谷折線２６と側部立上用山折線２７との交点に形成されるもので、円形状の孔により構成されている。なお、壁区画用谷折線２４の両端に位置する打抜部２８Ａは、半円形状の孔（切り欠き）により構成されている。また、打抜部２８Ｂは、仕切用山折線２５と側部立上用山折線２７との交点に形成されるもので、雫形状の孔により構成されている。なお、雫形状とは、一点から円に対して一対の接線を引いた如き、略半円形状の孔部と三角形状の孔部とを備えた形状のものである。
【００２５】
また、本実施形態のブランクシートには、仕切用山折線２５の両側端に、略三角形状に切り欠いた切欠部２９が設けられている。なお、仕切用山折線２５の折曲線２５ａは、ハーフカットライン２５ｂの端部と切欠部２９の頂点との間に形成されている。さらに、両端に位置する４個の側部２３の側縁は、内向きに傾斜した傾斜縁３０で構成されている。
【００２６】
このように構成したブランクシートは、壁区画用谷折線２４、仕切用山折線２５および仕切用谷折線２６により、組立状態で波状をなすように折り曲げられ、矩形状をなす連続した複数の底部２１が区画される。また、壁区画用谷折線２４、仕切用山折線２５および側部立上用山折線２７により、組立状態で底部２１の表面に重畳される直角三角形状をなす複数の重畳部２２が区画される。さらに、仕切用山折線２５、仕切用谷折線２６および側部立上用山折線２７により、重畳部２２を介して底部２１と連続し、組立状態で底部２１から上向きに立設される連続した複数の側部２３が区画される。
【００２７】
このブランクシートを折り曲げて仕切部材２０を組み立てる場合には、まず、一対の壁区画用谷折線２４，２４に沿ってブランクシートを谷折りする。その後、この状態で側部立上用山折線２７に沿って山折りすることにより側部２３を立ち上げながら、仕切用山折線２５および仕切用谷折線２６に沿って底部２１を山折りするとともに谷折りする。これにより、図１に示すように、波状（蛇腹形状）をなすように屈曲した仕切部材２０が形成される。
【００２８】
このように、本発明の仕切部材２０は、１枚のブランクシートを所定位置で山折りおよび谷折りするだけであるため、組立作業性を向上できる。ここで、単紙と比較して肉厚が厚い段ボール紙１は、通常では２層構造をなすように鋭角に折り曲げることは困難であるが、本実施形態では各交点に打抜部２８Ａ，２８Ｂを設けているため、確実に屈曲させることができる。また、解体する際には、組立時とは逆に、波状に屈曲させた底部２１および側部２３を伸張させ、底部２１に対して側部２３が平坦になるように折り曲げるだけであるため、その作業性も極めて良好である。
【００２９】
また、組立状態の仕切部材２０は、壁区画用谷折線２４の延び方向である長手方向に沿って波状をなすように屈曲させたものであるため、隣接する各底部２１および各側部２３が重畳するように収縮させることにより、両端間の寸法を小さくすることができる。そのため、この状態で外箱１０内に収容させることにより、その収容作業を極めて容易に行うことができる。
【００３０】
さらに、本実施形態の仕切部材２０は、底部２１と側部２３との間に形成され底部２１に対して側部２３を立設するための重畳部２２を、底部２１の表面に重畳させる構成であるため、図３に示すように、その下端は、下向きに突出する底部２１，２１の底頂上３１により構成され、各底頂上３１は平行に延びるように位置する。その結果、仕切部材２０を外箱１０に収容させると、外箱１０の底面に対して平行に位置する底頂上３１が線接触した状態となる。よって、仕切部材２０の組立時に多少の折曲誤差が生じても安定した設置状態を得ることができる。
【００３１】
なお、図７に示すように、立上用山折線２７’を底部２１’の側に延びるように構成した特許文献２の収容ケースは、壁区画用谷折線２４’と仕切用谷折線２６’の頂上で下端（設置面）が形成される。そのため、折曲誤差により各頂上３１’が面一に位置しない場合には、安定性が悪くなる。しかし、本実施形態の仕切部材２０は、設置面が平行に延びる底部２１の底頂上３１だけで構成されるため、多少の誤差が生じていても、重量物である商品５を収容した状態ではその重量で弾性的に変形し、安定した設置状態を得ることができる。
【００３２】
また、本発明の仕切部材２０は、厚肉で剛性が高い段ボール紙１で構成したことも伴い、商品５として重量物である輸液を収容するものとして好適に使用できる。そして、この収容状態で、輸送する際に垂直方向や水平方向の振動が加わった場合、波状をなす底部２１の伸縮により振動を分散し、吸収（緩衝）することができる。そのため、外袋が擦れることによる破損を防止できる。
【００３３】
そして、図４に示すように、両端に位置する底部２１が垂直になるように外箱１０に収容させることにより、間に位置する各底頂上３１を外箱１０の底面から浮かせた状態で配置できる。その結果、緩衝性能の更なる向上を図ることができる。しかも、側部立上用山折線２７の傾斜角度を調整することにより、側部２３の上端からなる開口状態を調整することができる。
【００３４】
このように、本発明は、１枚のブランクシートによって立体的な緩衝機能を具備した仕切部材２０を形成することができる。そして、仕切部材２０を形成するための部品点数が極めて少ないため、製造に係る段ボール紙１の使用面積を削減でき、製造コストを削減できるとともに、保管に関する占有スペースを削減できる。しかも、１枚のブランクシートからなるため、折込組立と外箱１０への収容作業を機械によって自動化することも可能である。
【００３５】
なお、本発明の仕切部材２０は、前記実施形態の構成に限定されるものではなく、種々の変更が可能である。
【００３６】
例えば、前記実施形態では、底部２１を対称なＶ字形状をなすように仕切用山折線２５および仕切用谷折線２６を設けたが、左右非対称な形状としてもよい。即ち、前記実施形態では、複数の仕切用山折線２５を等間隔で設けたが、異なる間隔で設けてもよい。同様に、各仕切用谷折線２６を隣接する仕切用山折線２５，２５の中間に設けたが、間に位置するように平行に設ければ、その位置は中間でなくてもよい。
【００３７】
また、前記実施形態では、仕切用山折線２５におけるハーフカットライン２５ｂを設けない部分、即ち、折曲線２５ａを、側部２３の側端に位置するように設けたが、側部２３の中間位置に設けてもよいうえ、底部２１や重畳部２２にも設ける構成としてもよい。
【００３８】
さらに、前記実施形態では、仕切部材２０によって外箱１０を長手方向に沿って５個の収容部に区画したが、その数は２以上の希望数に設定することができる。また、前記実施形態では、１個の外箱１０に１個の仕切部材２０を配設したが、１個の外箱１０に対して２以上の仕切部材２０を配設する構成としてもよい。
【符号の説明】
【００３９】
１…段ボール紙
２…表紙（第１シート）
３…裏紙（第２シート）
４…中しん
５…商品
１０…外箱
２０…仕切部材
２１…底部
２２…重畳部
２３…側部
２４…壁区画用谷折線
２５…仕切用山折線
２５ａ…折曲線（一部）
２５ｂ…ハーフカットライン
２６…仕切用谷折線
２７…側部立上用山折線
２８Ａ，２８Ｂ…打抜部
【図１】
2010163201.tif 000003
【図２】
2010163201.tif 000004
【図３】
2010163201.tif 000005
【図４】
2010163201.tif 000006
【図５】
2010163201.tif 000007
【図６】
2010163201.tif 000008
【図７】
2010163201.tif 000009